(57)【特許請求の範囲】
【請求項１】
標準電波局から出力される、少なくとも時刻コード、累積コード、曜日コード、および年コードを有する標準時刻コードを含む標準時刻電波に基づいて指針によるアナログ表示時刻を修正する自動修正時計であって、
あらかじめ定められたタイミングで、前記標準時刻電波を受信し、前記標準時刻コードを出力する受信部と、
制御信号に応じて前記指針を駆動する指針駆動手段と、
明暗を検出する明暗検出手段と、
前記明暗検出手段が暗状態を検出し、かつ前記受信部が前記曜日コード以外の少なくとも前記時刻コード、累積コードおよび年コードを含む標準時刻コードを所定の時間帯に受信する場合には、前記指針駆動手段に前記制御信号を出力して前記指針を停止させ、前記明暗検出手段が暗状態を検出しかつ前記受信部が前記曜日コードを所定の時間帯に受信する場合には、前記指針駆動手段に前記制御信号を出力して前記停止状態にあった少なくとも１つの指針を現時刻表示に追従させる制御回路とを有する
自動修正時計。
【請求項２】
前記制御回路は、前記指針を停止させているときに、前記明暗検出手段が明状態を検出すると、前記制御信号を前記指針駆動手段に出力して前記停止状態にあった少なくとも１つの指針を現時刻表示に追従させる
請求項１に記載の自動修正時計。
【請求項３】
前記制御回路は、前記指針を停止させて受信を行った結果、受信できなかった場合には、前記制御信号を前記指針駆動手段に出力して停止状態にあった少なくとも１つの指針を現時刻表示に追従させる
請求項１または２に記載の自動修正時計。
【請求項４】
前記指針駆動手段は、秒針制御信号に応じて秒針を駆動させる秒針駆動部と、時分針制御信号に応じて時分針を駆動させる時分針駆動部とを含み、
前記制御回路は、前記明暗検出手段が暗状態を検出し、かつ前記受信部が前記曜日コード以外の少なくとも前記時刻コード、累積コードおよび年コードを含む標準時刻コードを所定の時間帯に受信する場合には、前記秒針駆動部に前記秒針制御信号および前記時分針駆動部に前記時分針制御信号を出力して前記秒針および前記時分針を停止させ、前記明暗検出手段が暗状態を検出しかつ前記受信部が前記曜日コードを所定の時間帯に受信する場合には、前記時分針駆動部に時分針制御信号を出力して前記停止状態にあった時分針を現時刻表示に追従させる
請求項１に記載の自動修正時計。
【請求項５】
少なくとも曜日を表示可能な表示部を有し、
前記受信部は、少なくとも前記標準時刻コードに含まれる累積コードおよび年コードを受信して出力し、
前記制御回路は、前記受信部から出力された前記累積コードおよび年コードに応じて曜日を計算し、前記表示部に前記計算された曜日の表示を行わせる
請求項１，２，３，または４のいずれかに記載の自動修正時計。
【発明の詳細な説明】
【０００１】
【発明の属する技術分野】
本発明は、たとえば、標準電波を受信し、この標準電波に含まれる標準時刻に応じて時刻を修正する自動修正時計に関するものである。
【０００２】
【従来の技術】
従来、たとえば、福島県田村郡都路村と双葉郡川内村の郡境にある大鷹谷山の標準電波送信所から周波数４０ｋＨｚの標準電波、または九州の福岡県と佐賀県の県境に位置する羽金山の標準電波送信所から周波数６０ｋＨｚの標準電波を用いて送信された、時刻コード、累積コード、曜日コード、および年コード等を含む標準時刻コードを受信し、その標準時刻コードに基づいて、いわゆる帰零などを行い、時刻の修正を行う機能を有する自動修正時計が知られている。
【０００３】
ところで、近年では、たとえば、ユーザが就寝する際に、部屋の照明を消して暗状態にした場合に、秒針が停止する暗所秒針停止機能を有する自動修正時計が知られている。
【０００４】
【発明が解決しようとする課題】
上述した自動修正時計では、一日に数回、あらかじめ定められた時刻に標準電波を受信して時刻の修正が行われる。
また、従来の自動修正時計では、一般的に暗所秒針停止機能により指針が停止する深夜の時間帯に、特に標準電波を受信して時刻の修正が行われる。
これは、上述の従来の自動修正時計では、秒針を駆動する際に秒針駆動パルスを発生させ、その秒針駆動パルスに基づいて秒針を駆動させているために、その秒針駆動パルスが標準電波の受信の際にノイズの原因となるために、秒針が停止している状態で標準電波を受信すると、特に標準電波の受信感度が良くなるからである。
【０００５】
しかし、上述の従来の自動修正時計では、暗状態でも１０秒に１回、時分針駆動用のパルスを発生させて時分針を駆動させているので、標準電波を受信する際に時分針駆動用のパルスがノイズとなり標準電波の受信感度を低下させるという問題点があった。
【０００６】
しかし、従来の自動修正時計では、標準電波を受信するには数分から十数分もかかる。
たとえば、単純に上述の問題を解決するために、暗状態で秒針および時分針を停止させて標準電波を受信する場合には、ユーザは、その間、数分から十数分も遅れた時刻を表示している時計を見なければならないという問題点がある。
【０００７】
本発明は、かかる事情に鑑みてなされたものであり、その目的は、暗状態で標準電波を受信する場合であっても、大幅な指針の表示ずれを起こすことなく、受信感度を低下させずに、標準電波を受信可能な自動修正時計を提供することにある。
【０００８】
【課題を解決するための手段】
前記目的を達成するために、本発明の自動修正時計は、標準電波局から出力される、少なくとも時刻コード、累積コード、曜日コード、および年コードを有する標準時刻コードを含む標準時刻電波に基づいて指針によるアナログ表示時刻を修正する自動修正時計であって、  あらかじめ定められたタイミングで、前記標準時刻電波を受信し、前記標準時刻コードを出力する受信部と、制御信号に応じて前記指針を駆動する指針駆動手段と、明暗を検出する明暗検出手段と、前記明暗検出手段が暗状態を検出し、かつ前記受信部が前記曜日コード以外の少なくとも前記時刻コード、累積コードおよび年コードを含む標準時刻コードを所定の時間帯に受信する場合には、前記指針駆動手段に前記制御信号を出力して前記指針を停止させ、前記明暗検出手段が暗状態を検出しかつ前記受信部が前記曜日コードを所定の時間帯に受信する場合には、前記指針駆動手段に前記制御信号を出力して前記停止状態にあった少なくとも１つの指針を現時刻表示に追従させる制御回路とを有する。
【０００９】
好適には、前記制御回路は、前記指針を停止させているときに、前記明暗検出手段が明状態を検出すると、前記制御信号を前記指針駆動手段に出力して前記停止状態にあった少なくとも１つの指針を現時刻表示に追従させる。
【００１０】
また、好適には、前記制御回路は、前記指針を停止させて受信を行った結果、受信できなかった場合には、前記制御信号を前記指針駆動手段に出力して停止状態にあった少なくとも１つの指針を現時刻表示に追従させる。
【００１１】
また、好適には、前記指針駆動手段は、秒針制御信号に応じて秒針を駆動させる秒針駆動部と、時分針制御信号に応じて時分針を駆動させる時分針駆動部とを含み、前記制御回路は、前記明暗検出手段が暗状態を検出し、かつ前記受信部が前記曜日コード以外の少なくとも前記時刻コード、累積コードおよび年コードを含む標準時刻コードを所定の時間帯に受信する場合には、前記秒針駆動部に前記秒針制御信号および前記時分針駆動部に前記時分針制御信号を出力して前記秒針および前記時分針を停止させ、前記明暗検出手段が暗状態を検出しかつ前記受信部が前記曜日コードを所定の時間帯に受信する場合には、前記時分針駆動部に時分針制御信号を出力して前記停止状態にあった時分針を現時刻表示に追従させる。
【００１２】
また、好適には、少なくとも曜日を表示可能な表示部を有し、前記受信部は、少なくとも前記標準時刻コードに含まれる累積コードおよび年コードを受信して出力し、前記制御回路は、前記受信部から出力された前記累積コードおよび年コードに応じて曜日を計算し、前記表示部に前記計算された曜日の表示を行わせる。
【００１３】
上記構成による本発明によれば、たとえば、受信部では、標準電波局から出力される、少なくとも時刻コード、累積コード、曜日コード、および年コードを有する標準時刻コード含む標準時刻電波が、あらかじめ定められたタイミングで受信され標準時刻コードが出力される。
【００１４】
たとえば、指針駆動手段として、秒針制御信号に応じて秒針を駆動させる秒針駆動部と、時分針制御信号に応じて時分針を駆動させる時分針駆動部が備えられている。
制御回路では、明暗検出手段により暗状態が検出され、かつ受信部において少なくとも曜日コード以外の標準時刻コードを受信する場合には、秒針駆動部に秒針制御信号および時分針駆動部に時分針制御信号が出力され、秒針および時分針が停止する。
【００１５】
また、制御回路では、明暗検出手段により暗状態が検出され、かつ受信部において曜日コードが受信可能な時間である場合には、時分針駆動部に時分針制御信号が出力され、停止状態にあった時分針を現時刻表示に追従させる。
また、制御回路では、指針を停止させているときに、明暗検出手段により明状態が検出されると、制御信号を指針駆動手段に出力して停止状態にあった少なくとも１つの指針を現時刻表示に追従させる。
【００１６】
また、制御回路では、指針を停止させて受信を行った結果、受信できなかった場合には、制御信号を指針駆動手段に出力して停止状態にあった少なくとも１つの指針を現時刻に追従させる。
また、制御回路では、受信部により出力される、標準時刻コードに含まれる累積コードおよび年コードに応じて曜日が計算され、表示部に表示させる。
【００１７】
【発明の実施の形態】
図１は、本発明の自動修正時計に係る一実施の形態を説明するための概略図である。
【００１８】
本実施の形態に係る自動修正時計１は、図１に示すように、たとえば、基地局（標準電波局）２から周波数４０ｋＨｚまたは６０ｋＨｚで送信された標準電波を受信し、標準電波に含まれる標準時刻信号である標準時刻コードに基づいて時刻の修正を行う。
【００１９】
図２は本発明に係る自動修正時計の信号処理系回路の一実施の形態を示すブロック図、図３は本発明に係る自動修正時計の指針位置検出装置の一実施の形態の全体構成を示す図、図４は本発明に係る自動修正時計の指針位置検出装置の要部の平面図である。
【００２０】
図において、１０は信号処理系回路、１１は標準電波信号受信系、１２は受信スイッチ、１３は発振回路、１４は制御回路、１５はドライブ回路、１６は警告手段および報知手段としての発光素子、１７はバッファ回路、１８はドライブ回路、２０はスイッチ群、３０は液晶表示パネル（ディスプレイとも言う）、４０は明暗検出手段としてのＣｄＳセンサ、５０は報音回路としてのメロディ発生回路、５１はアンプ、５２はスピーカ、Ｖccは電源電圧、Ｃ1 からＣ3 はキャパシタ、Ｒ1 からＲ8 は抵抗素子、１００は時計本体、１２０は秒針を駆動する秒針駆動部としての第１駆動系、１３０は指針である分針および時針を駆動する時分針駆動部としての第２駆動系、１４０は光透過型光検出センサ、１５０は利用者が手により直接時刻合わせを行う手動修正系をそれぞれ示している。
【００２１】
なお、バッファ回路１７、第１駆動系１２０および第２駆動系１３０により指針駆動手段が構成され、制御回路１４、ドライブ回路１８、光透過型光検出センサ１４０、第１駆動系１２０および第２駆動系１３０により指針位置検出手段が構成される。
【００２２】
また、表示手段としての液晶表示パネル３０は、図５に示すように、文字盤２０１の略中央の指針軸より下側（６時側）に設けられている。
液晶表示パネル３０は、制御回路１４による制御により時刻、曜日およびカレンダー等をデジタルで表示可能である。
発光素子１６は、たとえば図５に示すように、文字盤２０１下側である６時表示部の近傍に設けられている。
【００２３】
また、明暗検出手段としてのＣｄＳセンサ４０は、たとえば図５に示すように、文字盤２０１の５時表示部の近傍に設けられている。
また、図５において、２０２は秒針、２０３は分針、２０４は時針をそれぞれ示している。
【００２４】
標準電波信号受信系１１は、受信アンテナ１１ａと、たとえば基地局２から送信された標準時刻信号を含む標準時刻電波Ｓ１を受信し、所定の処理を行いパルス信号Ｓ１１として制御回路１４に出力する長波受信回路１１ｂとから構成されている。
この長波受信回路１１ｂは、たとえばＲＦアンプ、検波回路、整流回路、および積分回路とから構成されている。
【００２５】
なお、標準電波信号受信系１１で受信される、日本標準時を高精度で伝える長波の標準電波は、図６（ａ）に示すような形態で送られてくる。
【００２６】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２７】
そして、受信状態が良好な場合には、標準電波信号受信系１１からは図６（ｂ）に示すように、標準電波信号に応じたパルス信号として信号Ｓ１１が、制御回路１４に出力される。
【００２８】
次に、長波標準電波の送信データについて説明する。
図７は、標準時刻電波信号の時刻コードの一例を示している。
【００２９】
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３０】
日本の標準電波は以前（実験局当時）の時刻コードである分コードおよび時コード、ならびに累積コードである積算日コードの送信データに加え、年下２桁を含む年コード、曜日コード、分パリティコード、時パリティコード、サマータイム導入の際に使用予定である予備ビット、うるう秒が追加された（図７（ｂ）参照）。図７に示すように、たとえば、毎時１５分から４５分以外の場合には、分コードは１から９秒、時コードは１２から１９秒、積算日コードは２２から３４秒、年コードは４１から４９秒、曜日コードは５１から５３秒に送信される。
以下、上述した新設された情報のうち、特に予備ビット、うるう秒情報、停波情報について説明する。
【００３１】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更あり」、ＳＵ１＝０・ＳＵ２＝１では「夏時間実施中」、ＳＵ１＝ＳＵ２＝１では「６日以内に夏時間終了」となるような情報形態となっている。夏時間への切り換わりについては日本ではまだサマータイムが導入されておらず、未だ不明の状態であるが欧州のサマータイムの切り替わりをみると、夜中のうちに行っている場合が多い。
【００３２】
【表１】
0003768438.tif 000002
【００３３】
次にうるう秒は表２に示される如く、ＬＳ１、ＬＳ２の２ビットを使用し、ＬＳ１＝ＬＳ２＝０では、「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ１＝ＬＳ２＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００３４】
【表２】
0003768438.tif 000003
【００３５】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波」、ＳＴ５＝ＳＴ６＝１では「２日未満で停波」となっている。
【００３６】
【表３】
0003768438.tif 000004
【００３７】
以上、独立行政法人通信総合研究所（ＣＲＬ：Communications  Research  Laboratory）が運用管理している長波の標準時刻情報を含む電波による送信情報について詳述した如く、標準時刻情報以外に予備ビットによる情報、うるう秒情報、停波情報も送信情報に含まれる。
【００３８】
発振回路１３は、水晶発振器ＣＲＹおよびキャパシタＣ2 ，Ｃ3 により構成され、所定周波数の基本クロックを制御回路１４に供給する。
【００３９】
制御回路１４は、時針カウンタ、分針カウンタ、秒針カウンタ等を含む内部時計１４ａを有している。
【００４０】
たとえば初期修正モード時には、初期設定を行い、標準電波信号受信系１１によるパルス信号Ｓ１１を受けて、受信した標準電波信号の受信状態があらかじめ決められた基準範囲と比較し、受信状態が基準範囲内にある場合には、第１および第２の制御信号ＣＴＬ１ ，ＣＴＬ2 をバッファ回路１７を介して、秒針駆動系としてのステッピングモータ１２１に出力して指針位置検出（初期設定）を行い、受信状態が基準範囲にない場合には、第１および第２の制御信号ＣＴＬ1 ，ＣＴＬ2 を出力せずに、ドライブ信号ＤＲ1 をドライブ回路１５に出力して、報知手段としての発光素子１６を発光させてユーザに標準電波信号がほとんど受信できない旨を報知させる。
【００４１】
そして、受信状態が基準範囲内にある場合に初期設定を行わせた後、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、制御信号ＣＴＬ1 ，ＣＴＬ2 をバッファ回路１７を介して秒針用のステッピングモータ１２１および時分針用のステッピングモータ１３１に出力して回転制御を行うことにより早送り時刻制御を行う。
【００４２】
また、制御回路１４は、標準時刻コードに含まれる積算日コードおよび年コードから曜日を計算し、計算された曜日、および時刻を液晶表示パネル３０に表示させる。
一方、デコードの結果、時刻化が不可能である場合には、制御信号ＣＴＬ1 ，ＣＴＬ2 を出力せずに、ドライブ信号ＤＲ1 をドライブ回路１５に出力して、報知手段としての発光素子１６を発光させてユーザに電波受信が良好でない旨を報知させる。そして、上述したように、指針位置検出処理を行い、指針を早送りして、時刻カウンタに基づいて時刻の修正を行う。
【００４３】
これにより、初期修正モードの動作を完了させる。
【００４４】
また、制御回路１４では、修正モードの動作を完了させた後、通常修正モード制御を行う。
通常修正モードにおいては、初期修正モードの時の初期設定動作後とほぼ同様の動作を行う。
【００４５】
具体的には、制御回路１４では、あらかじめ定められた時間、たとえば、午前２時１６分４０秒に長波受信回路１１ｂで受信した電波信号をデコードし、デコードの結果、時刻化が可能である場合には、発振回路１３による基本クロックに基づいて各種カウンタのカウント制御ならびに光検出センサ１４０による検出信号ＤＴ1 の入力レベルに応じて制御信号ＣＴＬ1,ＣＴＬ2 をバッファ回路１７を介して秒針用ステッピングモータ１２１および時分針用のステッピングモータ１３１に出力して回転制御を行うことにより早送り時刻修正制御を行う。
そして、制御回路１４は、受信状態が良好で時刻化が可能である場合に制御信号ＣＴＬ50をメロディ発生回路５０に出力して、所定のメロディを発生させ、アンプ５１を介して、スピーカ５２により報音させる。
【００４６】
一方、デコード結果、時刻化が不可能である場合には、制御信号ＣＴＬ1,ＣＴＬ2 を出力せずに、ドライブ信号ＤＲ1 をドライブ回路１５に出力して、発光素子１６を消灯させてユーザに電波受信が良好でない旨を報知させる。
【００４７】
また、制御回路１４は、あらかじめ設定した報時時刻、たとえば毎正時になると、制御信号ＣＴＬ50をメロディ発生回路５０に出力して報時時刻に対応する報時曲のメロディを発生させ、アンプ５１を介して、スピーカ５２により報音させる。
【００４８】
また、制御回路１４では、明暗検出手段としてのＣｄＳセンサ４０の検出の結果、受信確認スイッチ２１、受信確認モードスイッチ２３、秒針停止解除スイッチ２４、夜間消音（報時音出力停止）解除スイッチ２５の状態に応じて、秒針２０２、分針２０３および時針２０４の駆動または停止の制御、報時音の出力または停止の制御、および受信状態に応じた発光素子１６の点滅（発光）または消灯の制御を行う。
【００４９】
具体的には、制御回路１４は、受信状態の良否の判別結果に応じた第２の制御信号としてのドライブ信号ＤＲ1 を出力し、受信状態に応じた発光素子１６の点滅（発光）または消灯の制御を行う。
制御回路１４は、上記受信確認モードスイッチ２３がオフの場合には、受信良好時にはドライブ信号ＤＲ1 を出力して発光素子１６の点滅（発光）動作を行わせ、受信不良時には、ドライブ信号ＤＲ1 を出力して発光素子１６を消灯させる。また、受信確認モードスイッチ２３がオンの場合には、受信確認スイッチ２１がオン（入力）された時のみ、受信状態に応じた発光素子１６の点滅（発光）または消灯の制御を行う。
【００５０】
また、制御回路１４は、明暗検出手段としてのＣｄＳセンサ４０が暗状態を検出した場合であって、秒針停止解除スイッチ２４が指針の停止動作解除を指定していない場合（オフの場合には）、第１の制御信号ＣＴＬ1 をバッファ回路１７を介して秒針用ステッピングモータ１２１に出力して停止させ、指針停止解除スイッチ２４が、秒針動作解除を指定している場合（オンの場合）には、指針を停止させない。
また、制御回路１４は、上述したように指針を停止させているときに、ＣｄＳセンサ４０が明状態を検出すると、第１の制御信号ＣＴＬ1 をバッフア回路１７を介して秒針用ステッピングモータ１２１に出力して停止状態にあった秒針２０２を早送りで現時刻表示に追従させる。
【００５１】
また、制御回路１４は、メロディ発生回路５０に時刻に応じたメロディを選択させる制御信号ＣＴＬ50を出力し、ＣｄＳセンサ４０が暗状態を検出した場合であって、夜間消音（報時停止）解除スイッチ２５が報時音出力動作解除を指定していない場合（オフの場合）には、メロディ発生回路５０には制御信号ＣＴＬ50を出力せずに、報時動作を停止させ（消音させ）、夜間消音解除スイッチ２５が報時音出力動作解除を指定している場合（オンの場合）には、メロディをスタートさせる制御信号ＣＴＬ50をメロディ発生回路５０に出力して報時動作を行わせる。
【００５２】
また、制御回路１４は、あらかじめ定められた自動受信時刻で、かつＣｄＳセンサ４０により暗状態が検出された場合には、まず、長波受信回路１１ｂにより、標準電波に含まれる標準時刻コードの正分位置の検出を行う。そして、たとえば、標準時刻コードに含まれる曜日コード以外のコードを受信する際、たとえば、０から４９秒までの時間には、標準電波を感度良く受信するために、秒針用ステッピングモータ１２１および時分針用ステッピングモータ１３１に制御信号を出力せずに、秒針２０２、分針２０３、および時針２０４を停止させ、長波受信回路１１ｂで標準電波を受信させる。
一方、残りの曜日コードを受信可能な時間、たとえば、４９から５９および０秒までの時間には、制御信号ＣＴＬ2 を時分用ステッピングモータ１３１に出力して、内部時計１４ａの各カウンタと同期するように、分針２０３および時針２０４を早送り修正する。
【００５３】
また、制御回路１４では、自動受信時に、ＣｄＳセンサ４０により明状態が検出された場合には、制御信号ＣＴＬ1 およびＣＴＬ2 を秒針用ステッピングモータ１２１および時分針用ステッピングモータ１３１に出力し、内部時計１４ａの各カウンタと同期するように、秒針２０２、分針２０３および時針２０４を、早送り修正する。
【００５４】
なお、上記の説明では、受信状態が基準範囲外にあると判別するときは、電波が弱かったり、ノイズが多いときである。
電波が非常に弱い場合には、図６（ｃ）に示すように、数個の信号分、ローレベル（Ｌ）かハイレベル（Ｈ）のままになる。
また、ノイズが多いときは、時刻電波と無関係にレベルが変化する。
これらの状態にある信号Ｓ１１を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒付近でなかったときをＮＧとして、ＮＧが２回以上発生したときには受信不可能と判断する。
そして、上述したように、指針位置検出処理を行い、指針を早送りして、時刻カウンタに基づいて時刻の修正を行う。
【００５５】
ドライブ回路１５は、ｐｎｐ型トランジスタＱ1 および抵抗素子Ｒ1 ，Ｒ2 により構成されている。
トランジスタＱ1 のベースが抵抗素子Ｒ1 を介して制御回路１４のドライブ信号ＤＲ1 の出力ラインに接続され、コレクタが抵抗素子Ｒ2 を介して発光ダイオードからなる発光素子１６のアノードに接続され、エミッタが電源電圧Ｖccの供給ラインに接続されている。そして、発光素子１６のカソードが接地されている。
すなわち、発光素子１６は、制御回路１４からローレベルのドライブ信号ＤＲ1 が出力されたときに発光するようにドライブ回路１５に接続されている。
また、発光素子１６は、制御回路１４から一定の間隔で出力されたドライブ信号ＤＲ1 に応じて、点滅を行い警告を行う。
【００５６】
また、ドライブ回路１８は、ｐｎｐ型トランジスタＱ2 、および抵抗素子Ｒ3 ，Ｒ4 により構成されている。
トランジスタＱ2 のエミッタは電源電圧Ｖccの供給ラインに接続され、ベースは抵抗素子Ｒ3 を介して制御回路１４のドライブ信号ＤＲ2 の出力ラインに接続され、コレクタは抵抗素子Ｒ4 を介して光検出センサ１４０に接続されている。ドライブ回路１８は、制御回路１４からドライブ信号ＤＲ2 が出力された場合に、光検出センサに電力を供給する。
【００５７】
スイッチ群２０は、受信確認スイッチ２１、修正スイッチ２２、受信確認モードスイッチ２３、秒針停止解除スイッチ２４、および夜間消音解除スイッチ２５が制御回路１４の５つの入力端子に対して並列に接続される。
【００５８】
ＣｄＳセンサ４０は、明暗を検出するセンサーであり、たとえば、明状態が検出されると抵抗値が所定の値よりも低くなり、暗状態を検出すると抵抗値が所定の値よりも高くなる。
【００５９】
ＣｄＳセンサ４０の一端は基準電位に保持され、他端はノード４０ａおよび抵抗素子Ｒ8 を介してトランジスタＱ40のコレクタおよび制御回路１４に接続されている。
また、トランジスタＱ40のコレクタは抵抗素子Ｒ7 を介して基準電位に保持され、ベースは抵抗Ｒ6 を介して制御回路１４に接続され、エミッタは電源電圧Ｖccに接続されている。
【００６０】
制御回路１４は、明暗状態を、ノード４０ａの電位により判別する。
具体的には、制御回路１４は、ドライブ信号ＤＲ3 を抵抗素子Ｒ6 を介してトランジスタＱ40に出力し、明状態の場合にはＣｄＳセンサ４０の抵抗値が所定の値よりも低くなりノード４０ａの電位がほぼ基準電位になり、暗状態の場合にはＣｄＳセンサ４０の抵抗値が所定の値よりも高くなりノード４０ａの電位が所定の値よりも高くなるので、ノード４０ａの電位を検出することにより明暗状態の判別を行う。
【００６１】
メロディ発生回路５０は、制御回路１４からの制御信号に応じたメロディを、アンプ５１およびスピーカ５２を介して発音する。
【００６２】
たとえば、メロディ発生回路５０は、複数の報時曲の楽譜が設定された（記憶された）楽譜メモリや、複数のリズムパターンが設定されたリズムパターンメモリ、あるいは各種メモリのアドレス指定用のアドレスカウンタを含み、制御回路１４による時刻に応じたメロディを選択させる制御信号ＣＴＬ50を受けて所定の報時曲のメロディを選択し、メロディをスタートさせる制御信号ＣＴＬ50受けてメロディを発生し、発生したメロディをアンプ５１を介してスピーカ５２から出力する。
【００６３】
次に、自動修正時計のムーブメントおよび指針位置検出系の具体的な構成について、図３、図４、図８〜図１６に関連付けて説明する。
【００６４】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系１２０、第２駆動系１３０、光検出センサ１４０、手動修正系１５０等が固定あるいは軸支されている。
【００６５】
第１駆動系１２０は、図３、図４および図８に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１Ｃ’に大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ1 に基づいて、その回転方向、回転角度、および回転速度が制御される。
【００６６】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｃ’）と噛合して、ロータ１２１ｃの回転速度を所定速度に減速させる。この第１の５番車１２２には、図１０および図１２に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００６７】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針２０２が取り付けられている。この秒針車１２３には、図１１に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００６８】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００６９】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００７０】
秒針車１２３においては、図１１に示すように、複数（１１個）の透孔１２３ｃを設ける代わりに、図１２に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００７１】
第２駆動系１３０は、図３、図４、および図９に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｃ’に大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路の出力制御信号に基づいて、その回転方向、回転角度、および回転速度が制御される。
【００７２】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｃ’）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００７３】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１３に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００７４】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤２０１側に突出しており、その先端には分針２０３が取り付けられている。
【００７５】
また、分針車１３４には、図１４に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００７６】
また、円弧状透孔１３４ｃは、一端側の円形部１３４ｃ’と、他端側から伸びる幅広円弧部１３４ｃ’’と、両者を連結する幅狭円弧部１３４ｃ’’’とにより形成されている。この幅狭円弧部１３４ｃ’’’により画定される円形部１３４ｃ’は、検出光を通過させるだけでなく、分針車１３４を組み付ける際の位置決め孔（度決め孔）として用いられるものである。
【００７７】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤２０１側に突出しており、その先端には時針２０４が取り付けられている。
【００７８】
また、時針車１３６には、図１５に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、さらに、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００７９】
また、円弧状透孔１３６ｃは、一端側から中心角β１で７．５°のところに位置する円形部１３６ｃ’と、他端側から伸びる幅広円弧部１３６ｃ’’と、両者を連結すると共に円形部１３６ｃ’の両側に位置する幅狭円弧部１３６ｃ’’’とにより形成されている。この幅狭円弧部１３６ｃ’’’により画定される円形部１３６ｃ’は、検出光を通過させるだけでなく、時針車１３６を組み付ける際の位置決め孔（度決め孔）として用いられるものである。
【００８０】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００８１】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ2 のコレクタに接続されたドライブ回路１８における抵抗素子Ｒ4 の他端に接続され、カソードは、接地されるとともに、受光素子１４４のエミッタに接続されている。
受光素子１４４のコレクタは、制御回路１４に接続されている。この制御回路との接続ラインは、検出信号ＤＴ1 の制御回路１４への出力ラインとなっており、この出力ラインは、抵抗素子Ｒ5 を介して電源電圧Ｖccの供給ラインに接続されている。
ドライブ回路１８のトランジスタＱ2 のエミッタは電源電圧Ｖccの供給ラインに接続され、ベースは抵抗素子Ｒ3 を介してドライブ信号ＤＲ2 の出力ラインに接続されている。
すなわち、発光素子１４２は、制御回路１４からローレベルのドライブ信号ＤＲ2 が出力されたとき発光するようにドライブ回路１８に接続されている。
【００８２】
また、図４に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００８３】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００８４】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００８５】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【００８６】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００８７】
手動修正軸１５１は、分針車１３４と同位相で回転するように構成されており、上述の第２駆動系１３０により分針車１３４が駆動されているときには日の裏車１３５を介して分針車１３４と同位相で回転するとともに、第２駆動系１３０の非作動時には、頭部１５１ｂを指で回転させることにより、指針位置を手動修正できるようになっている。
【００８８】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００８９】
分針車１３４の分針パイプ１３４ｐの先端部および時針車１３６の時針パイプ１３６ｐの先端部には、図１６に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００９０】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００９１】
次に、上記構成による動作を、制御回路１４における制御動作を中心に、図１７から図２１を参照しながら説明する。
【００９２】
まず、図１７に示すように、たとえばユーザにより受信スイッチ１２がオンされると、制御回路１４において、各種状態が初期状態に戻される（ＳＴ１）。
また、このとき受信スイッチ１２がオンされたことにより、たとえば制御回路１４から標準電波信号受信系１１に駆動電力が供給されて、標準時刻電波信号の強制受信動作が行われる（ＳＴ２）。
【００９３】
具体的には、標準電波信号受信系１１では、長波受信回路１１ｂから受信状態に応じたパルス信号Ｓ１１が生成され制御回路１４に出力される。
制御回路１４では、受信した標準電波信号の受信状態を示すパルス信号Ｓ１１とあらかじめ決められた基準範囲とが比較される。
その結果、受信状態が基準範囲内にある場合には、受信可能（時刻化が可能）であるとして、受信した電波がデコードされる。
デコードの結果、時刻化が可能である場合には、発振回路１３による基本クロックに基づいて各種カウンタの制御が行われ、修正スイッチ２２が入力されておらず（ＳＴ３）、タイムオーバーしていない場合には（ＳＴ４）、指針位置検出が行われ（ＳＴ５）、時刻のアナログ表示を行う指針の早送り修正が行われる（ＳＴ６）。この早送り修正は、内部カウンタの値に応じて秒針用ステッピングモータ１２１および時分針用ステッピングモータ１３１を早送りで回転駆動させ、指針位置をその時刻位置に修正する。
【００９４】
また、ステップＳＴ３において、修正スイッチ２２が入力されたと判別された場合には、指針位置の検出が行われ（ＳＴ７）、ステップＳＴ８の処理に移行される。
【００９５】
そして、制御回路１４においては、受信状態、すなわち受信が良好で時刻化が可能であったか、受信状態が不良で時刻化が不可能であったかがセットされる（ＳＴ８）。
【００９６】
そして、１秒が経過したならば（ＳＴ９）、制御回路１４において、時刻カウンタのカウントアップが行われ（ＳＴ１０）、時刻に応じたメロディを選択させる制御信号ＣＴＬ50がメロディ発生回路５０に出力される（ＳＴ１１）。
次に、ＣｄＳセンサ４０がオフ、すなわち暗状態の検出状態にあり、夜間消音解除スイッチ２５がオフで、夜間消音モードであるか否かの判別が行われる（ＳＴ１２）。
【００９７】
ステップＳＴ１２において、暗状態の検出状態になく、夜間消音モードでないと判別された場合には、通常の通りの報時を行うべくメロディをスタートさせる制御信号ＣＴＬ50がメロディ発生回路５０に出力される（ＳＴ１３）。
これにより、メロディ発生回路５０において、制御回路１４により指定されるアドレスに応じた報時曲のメロディが発生され、発生したメロディがアンプ５１で増幅されスピーカ５２を介して報音される。
【００９８】
一方、ステップＳＴ１２において、暗状態の検出状態にあり、夜間消音モードであると判別された場合には、ステップＳＴ１４の処理に移行され、ＣｄＳセンサ４０がオフ、すなわち暗状態の検出状態にあり、秒針停止解除スイッチ２４がオフで、秒針停止モードにあるか否かの判別が行われる。
【００９９】
ステップＳＴ１４において、秒針停止モードでないと判別された場合には、通常通りの第１の制御信号ＣＴＬ1 がバッファ回路１７を介して秒針用ステッピングモータ１２１に出力され（ＳＴ１５）、図１８のステップＳＴ１６の処理に移行される。
【０１００】
一方、ステップＳＴ１４において、秒針停止モードであると判別された場合には、図１８のステップＳＴ１６の処理に移行される。
【０１０１】
ステップＳＴ１６においては、１０秒ごとに第１の制御信号ＣＴＬ2 がバッファ回路１７を介して時分針用ステッピングモータ１３１に出力され、時分針のみの時刻表示が行われる。
【０１０２】
次に、受信状態表示は、ボタン押しモードか否か（受信確認モードスイッチ２３がオンされているか否か）の判別が行われる（ＳＴ１７）。
【０１０３】
ステップＳＴ１７において、ボタン押しモードでないと判別された場合には、発光素子（ＬＥＤ）１６が常時点滅時動作を行うように駆動信号ＤＲ1 が出力される（ＳＴ１８）。
【０１０４】
一方、ステップＳＴ１７において、ボタン押しモードであると判別された場合には、発光素子１６がボタン押し点灯動作が行われる（ＳＴ１９）。
【０１０５】
次に、ＣｄＳセンサ４０の明暗検出動作が行われ（ＳＴ２０）、明状態が検出されて秒停止が解除されたか否かの判別が行われる（ＳＴ２１）。
ステップＳＴ２１において、秒停止が解除されたと判別された場合には、制御信号ＣＴＬ１ がバッファ回路１７を介して秒針用ステッピングモータ１２１に出力され、秒針早送り修正が行われ（ＳＴ２２）、ステップＳＴ２３の処理に移行される。
【０１０６】
ステップＳＴ２３の処理においては、修正スイッチ２２が入力されていない場合、あらかじめ設置してある自動受信時刻か否かの判別が行われる（ＳＴ２４）。
ステップＳＴ２４において、自動受信時刻であると判別されると自動受信動作が行われる（ＳＴ２５）。
【０１０７】
また、ステップＳＴ２３において、修正スイッチ２２が入力された場合には、ボタン修正動作が行われ（ＳＴ２６）、ステップＳＴ２７の動作に移行される。
【０１０８】
ステップＳＴ２７では、制御回路１４においては、受信状態、すなわち受信が良好で時刻化が可能であったか、受信が不良で時刻化が不可能であったかがセットされる（ＳＴ２７）。
そして、ステップＳＴ２４において、自動受信時刻でないと判別された場合、あるいはステップＳＴ２７の処理終了後、図１７のステップＳＴ９からの処理に移行される。
【０１０９】
ステップＳＴ２５の自動受信動作について、図１９を参照して説明する。
自動受信時刻である場合には、ＣｄＳセンサ４０の明暗状態の検出動作が行われ（ＳＴ２５０１）、暗状態であると判別された場合には（ＳＴ２５０２）、制御回路１４から標準電波信号受信系１１に駆動電力が供給されて、標準電波信号の初期受信動作が行われる（ＳＴ２５０３）。
初期受信動作では、標準電波信号受信系１１において、長波受信回路１１ｂから受信状態に応じたパルス信号Ｓ１１が生成され、制御回路１４に出力され、標準電波に含まれる標準時刻コードの同期がとられる。つまり、標準時刻電波に応じて内部時計の秒の同期がとられる。
【０１１０】
ステップＳＴ２５０３において、制御回路１４では、同期した秒が曜日コード以外の標準時刻コードを受信する０から４９秒までの時刻の場合には（ＳＴ２５０４）、標準電波信号受信系１１で標準電波信号受信が行われる。この際、秒針ステッピングモータ１２１および時分針ステッピングモータ１３１を駆動させずに、秒針、分針、および時針を止めた状態にして、受信感度を高くする（ＳＴ２５０５）。
【０１１１】
また、ステップＳＴ２５０４において、制御回路１４では、同期した秒が、曜日コードを含むそれ以降の時間である４９から５９および００秒までの時間の場合には、制御信号ＣＴＬ2 を時分針ステッピングモータ１３１に出力して、時分針を早送り駆動させる（ＳＴ２５０６）。
【０１１２】
ステップＳＴ２５０７においては、受信した標準電波信号のパルス信号Ｓ１１とあらかじめ決められた基準範囲とが比較され、その結果、受信状態が基準範囲内にある場合には（ＳＴ２５０７）、受信可能（時刻化が可能）であるとして、受信した電波がデコードされ、発振回路１３による基本クロックに基づいて各カウンタの制御が行われ時刻のアナログ表示を行う指針の早送り修正が行われ（ＳＴ２５０８）、ステップＳＴ２５１６の処理に進む。
【０１１３】
ステップＳＴ２５０７において、デコードが不可能である場合には、ＣｄＳセンサ４０の検出動作が行われ（ＳＴ２５０９）、明状態である場合には（ＳＴ２５１０）、内部時計に応じて指針の早送り動作が行われ（ＳＴ２５１１）、ステップＳＴ２５１４の処理に進む。
【０１１４】
ステップＳＴ２５１０において、暗状態が検出された場合には、あらかじめ定められた時間、たとえば十数分程度であるか否かの判別が行われ（ＳＴ２５１２）、所定時間でない場合には、さらに標準時刻コードを積算するために、ステップＳＴ２５０４の処理に戻る。
【０１１５】
また、ステップＳＴ２５１２の処理において、あらかじめ定められた時間経過した場合には、積算しても標準時刻コードが解読不可であるとして、内部時計の時刻カウンタに基づいて、アナログ表示を行う指針の早送り修正が行われ（ＳＴ２５１３）、ステップＳＴ２５１６の処理に進む。
【０１１６】
また、ステップＳＴ２５０２において、ＣｄＳセンサ４０により明状態が検出されたと判別された場合には、通常の標準受信動作が行われる。
具体的には、ステップＳＴ２５１４において、制御回路１４から標準電波信号受信系１１に駆動電力が供給され、長波受信回路１１ｂから受信状態に応じたパルス信号Ｓ１１が生成され、制御回路１４に出力される（ＳＴ２５１４）。
【０１１７】
ステップＳＴ２５１５では、制御回路１４では、受信した標準電波信号のパルス信号Ｓ１１とあらかじめ決められた基準範囲とが比較され、受信状態が基準範囲内にある場合には、発振回路１３による基本クロックに基づいて各種カウンタの制御が行われ、時刻のアナログ表示を行う指針の早送り修正が行われる。この指針の早送り修正は、内部カウンタの値に応じて秒針用ステッピングモータ１２１および時分針用ステッピングモータ１３１を早送りで回転駆動させ、指針位置をその時刻位置に修正する。そしてステップＳＴ２５１６の処理に進む。
【０１１８】
そして、ステップＳＴ２５１６では、自動受信動作を終了し、ステップＳＴ２７の処理に進む。
【０１１９】
また、ステップＳＴ５における指針位置検出は、たとえば図２０に示すように行われる。
制御回路１４から時分用パルス信号出力パターンがセットされ（ＳＴ５０１）、ドライブ信号ＤＲ2 がドライブ回路１８にローレベルで出力される。これにより、トランジスタＱ2 がオンし、発光素子１４２、すなわち発光ダイオードから検出光が発せられる。
【０１２０】
続いて、制御回路１４から制御信号ＣＴＬ1 が出力されて秒針用ステッピングモータ１２１がパルス駆動され（ＳＴ５０２）、受光素子１４４すなわちフォトトランジスタがオンし、検出信号ＤＴ1 がハイレベル（電源電圧Ｖccレベル）からローレベルに切り換わったか否かの判別が行われる（ＳＴ５０３）。
【０１２１】
ここで、フォトトランジスタからの検出信号ＤＴ1 がハイレベルのままに保持されている場合には、ステップ駆動を行うためにパルス数を加算する度に、フォトトランジスタからの検出信号ＤＴ1 がハイレベル（電源電圧Ｖccレベル）からローレベルに切り換わったか否かの判別が行われる（ＳＴ５０４〜ＳＴ５０６）。
そして、パルス数が９に達してもフォトトランジスタからの検出信号ＤＴ1 出力がハイレベル（電源電圧Ｖccレベル）からローレベルに切り換わらない場合には、時分針用ステッピングモータ１３１が１ステップ（パルス）駆動され（ＳＴ５０７）、その後再び秒針用ステッピングモータ１２１がステップ駆動され（ＳＴ５０２）て、秒針車１２３が回転駆動される。
【０１２２】
一方、ステップＳＴ５０３において、フォトトランジスタによる検出信号ＤＴ1 がハイレベルからローレベルに切り換わったと判別されると、秒針車１２３が早送りされ（ＳＴ５０８）、制御回路１４にあらかじめ記憶された出力パターンとの比較が行われる（ＳＴ５０９）。
比較の結果、得られた出力パターンと記憶された出力パターンとが適合しない場合は、ステップＳＴ５０８に戻り、再び秒針車１２３が早送りされる。
【０１２３】
一方、得られた出力パターンと記憶された出力パターンとが適合した場合には、その時点（５ステップ目でもフォトトランジスタにより検出信号ＤＴ1 のレベルがローレベルに切り換わらない場合において次にフォトトランジスタの出力がローレベルに切り換わった時点）で、制御信号ＣＴＬ1 の出力が停止されて、秒針車１２３の回路駆動が停止される。そして、秒針車１２３が帰零位置で停止する（ＳＴ５１０）。このとき、秒針は所定時刻たとえば正時（０秒）の位置に修正される。
【０１２４】
続いて、制御回路１４から制御信号ＣＴＬ2 が出力されて時分針用ステッピングモータ１３１のみが所定の出力周波数でパルス駆動されて分針車１３４が早送りされる（ＳＴ５１１）。
【０１２５】
そして、フォトトランジスタからの出力パターンと制御回路１４にあらかじめ記憶された出力パターンとの比較が行われる（ＳＴ５１２）。
比較の結果、得られた出力パターンと記憶された出力パターンとが適合しない場合は、ステップＳＴ５１１の処理に戻り、再び分針車１３４が早送りされる。
【０１２６】
一方、ステップＳＴ５１２の比較の結果、得られた出力パターンと記憶された出力パターンとが適合した場合は、その時点で、制御信号ＣＴＬ2 の出力が停止されて、時分針用ステッピングモータ１３１が停止されて、分針車１３４および時針車１３６の駆動が停止される（ＳＴ５１３）。
【０１２７】
ここで、出力パターンとあらかじめ記憶された出力パターンとの比較による時刻修正は、３種類のパターンのいずれかに合わせることにより行われる。
【０１２８】
すなわち、分針車１３４によるフォトトランジスタの出力パターンは、図２１（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２１（ｂ）に示すように、遮光部が作用するオフの幅が３種類のＤ部、Ｅ部、Ｃ部が所定間隔をおいて交互に現れるようなパターンとなり、両者を合成した出力パターンは、図２１（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２１に示すパターンのうちオンとなるパターンの部分は、実際には３番車１３３の遮光部によりオフとなる部分があるので、歯抜け状のパターンとなっている。
【０１２９】
そこで、Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分としてあらかじめ設定しておけば、これらのパターンのいずれかを検出したときに、時分針用ステッピングモータ１３１を停止させることで、分針車１３４および時針車１３６すなわち分針２０３および時針２０４を所定の時刻に時刻修正することができる。
【０１３０】
そして、時分針用ステッピングモータ１３１を停止させた後、制御回路１４によるドライブ信号ＤＲ2 がハイレベルに切り換えられる。
これにより、ドライブ回路１８のトランジスタＱ2 がオフし、発光ダイオードの発光が停止され（ＳＴ５１４）、時刻修正動作を終了する。
【０１３１】
以上説明したように、本実施の形態によれば、標準電波局から出力される、時コード、分コード、累積日コード、年コード、および曜日コードを有する標準時刻コードを含む標準時刻電波を、あらかじめ定められたタイミングで受信し、標準時刻コードを出力する標準電波信号受信系１１と、制御信号ＣＴＬ1 に応じて秒針を駆動させる秒針用ステッピングモータ１２１と、制御信号ＣＴＬ2 に応じて時分針を駆動させる時分針ステッピングモータ１３１と、曜日を表示するディスプレイ３０と、明暗を検出するＣｄＳセンサ４０と、ＣｄＳセンサ４０が暗状態を検出し、かつ標準電波信号受信系１１が少なくとも曜日コード以外の標準時刻コードを受信する場合には、秒針用ステッピングモータ１２１に制御信号ＣＴＬ1 および時分針ステッピングモータ１３１に制御信号を出力して秒針および時分針を停止させ、ＣｄＳセンサ４０が、暗状態を検出しかつ標準電波信号受信系１１が曜日コードを受信可能な時間である場合には、時分針ステッピングモータ１３１に制御信号ＣＴＬ2 を出力して、停止状態にあった時分針を現時刻表示に追従させ、指針を停止させているときに、ＣｄＳセンサ４０が明状態を検出した場合および、指針を停止させて受信を行った結果、受信できなかった場合には、制御信号ＣＴＬ1 および制御信号ＣＴＬ2 を秒針ステッピングモータ１２１および時分針ステッピングモータ１３１に出力して、停止状態にあった時分針および秒針を現時刻表示に追従させ、累積日コードおよび年コードに応じて曜日を計算しディスプレイ３０に曜日を表示させる制御回路１４とを設けたので、暗状態で標準電波を受信する場合であっても、大幅な指針の表示ずれを起こすことなく、受信感度を低下させずに、標準電波を受信し、時刻を修正可能である。
【０１３２】
なお、本発明は本実施の形態に限られるものではなく、任意好適な種々の改変が可能である。たとえば、制御回路１４の処理方法は、上述した実施の形態に限られるものではない。また、メロディ発生回路５０はなくてもよい。
【０１３３】
【発明の効果】
以上説明したように、本発明によれば、暗状態で標準電波を受信する場合であっても、大幅な指針の表示ずれを起こすことなく、かつ受信感度が低下しない自動修正時計を提供することができる。
【図面の簡単な説明】
【図１】本発明に係る自動修正時計の概要を説明するための模式図である。
【図２】本発明に係る自動修正時計の信号処理系回路の一実施の形態を示すブロック構成図である。
【図３】本発明に係る自動修正時計の指針位置検出装置の一実施の形態の全体構成を示す断面図である。
【図４】本発明に係る指針位置検出装置の要部の平面図である。
【図５】図１の自動修正時計の外観を示す正面図である。
【図６】標準時刻電波の信号パターンを示す図である。
【図７】標準時刻電波信号の時刻コードの一例を示す図である。
【図８】自動修正時計の一部である秒針を駆動する第１駆動系を示す平面図である。
【図９】自動修正時計の一部である分針および時針を駆動する第２駆動系を示す平面図である。
【図１０】秒針を駆動する第１駆動系の一部をなす第１の５番車を示す平面図である。
【図１１】秒針を駆動する第１駆動系の一部をなす秒針車を示す平面図である。
【図１２】秒針を駆動する第１駆動系の一部をなす秒針車の他の例を示す平面図である。
【図１３】分針および時針を駆動する第２駆動系の一部をなす３番車を示す平面図である。
【図１４】分針および時針を駆動する第２駆動系の一部をなす分針車を示す平面図である。
【図１５】分針および時針を駆動する第２駆動系の一部をなす時針車を示す平面図である。
【図１６】分針パイプおよび時針パイプの先端部を示す端面図である。
【図１７】本発明に係る自動修正時計の制御回路における制御動作を説明するためのフローチャートである。
【図１８】本発明に係る自動修正時計の制御回路における制御動作を説明するためのフローチャートである。
【図１９】本発明に係る自動修正時計の制御回路における制御動作を説明するためのフローチャートである。
【図２０】本発明に係る自動修正時計の制御回路における指針位置修正動作を説明するためのフローチャートである。
【図２１】修正動作において、分針車、時針車、および両者の合成による検出出力パターンを示す図である。
【符号の説明】
１０…信号処理系回路
１１…標準電波信号受信系
１２…受信スイッチ
１３…発振回路
１４…制御回路
１５…ドライブ回路
１６…発光素子
１７…バッファ回路
１８…ドライブ回路
２０…スイッチ群
２１…受信確認スイッチ
２２…修正スイッチ
２３…受信確認モードスイッチ
２４…秒針（指針）停止解除スイッチ
２５…夜間消音解除スイッチ
３０…液晶表示パネル
４０…ＣｄＳセンサ
５０…メロディ発生回路
１００…時計本体
１１１…下ケース（第２ケース）
１１１ｃ…取付け凹部（第２配置部）
１１１ｄ…円形貫通孔
１１２…上ケース（第１ケース）
１１３…中板
１２０…第一駆動系
１２１…秒針用ステッピングモータ（第一駆動源）
１２２…第１の５番車（第一伝達歯車、第一検出用歯車）
１２２ｃ…透孔
１２３…秒針車（第２検出用歯車、第一指針車）
１２３ｃ…透孔
１２３ｄ…位置決め遮光部
１２３ｅ…付勢ばね
１２３ｆ…切り欠き孔
１２３ｇ…切り欠き孔
１３０…第２駆動系
１３１…時分針用ステッピングモータ（第２駆動源）
１３２…第２の５番車
１３３ｃ…透孔
１３４…分針車（第４検出用歯車、第２指針車）
１３４ｃ…円弧状透孔
１３４ｄ…円弧状透孔
１３４ｅ…円弧状透孔
１３４ｇ…溝（第１指標）
１３４ｐ…分針パイプ
１３５…日の裏車
１３６…時針車（第５検出用歯車、第２指針車）
１３６ｃ…円弧状透孔
１３６ｄ…円弧状透孔
１３６ｅ…円弧状透孔
１３６ｇ…溝（第２指標）
１３６ｐ…時針パイプ
１４０…光検出センサ（検出手段）
１４２…発光素子
１４４…受光素子
１５０…手動修正系
２０１…文字盤
２０２…秒針
２０３…分針
２０４…時針
Ｖcc…電源電圧
Ｃ1 〜Ｃ3 …キャパシタ
Ｒ1 〜Ｒ8 …抵抗素子
【図１】
0003768438.tif 000005
【図２】
0003768438.tif 000006
【図３】
0003768438.tif 000007
【図４】
0003768438.tif 000008
【図５】
0003768438.tif 000009
【図６】
0003768438.tif 000010
【図７】
0003768438.tif 000011
【図８】
0003768438.tif 000012
【図９】
0003768438.tif 000013
【図１０】
0003768438.tif 000014
【図１１】
0003768438.tif 000015
【図１２】
0003768438.tif 000016
【図１３】
0003768438.tif 000017
【図１４】
0003768438.tif 000018
【図１５】
0003768438.tif 000019
【図１６】
0003768438.tif 000020
【図１７】
0003768438.tif 000021
【図１８】
0003768438.tif 000022
【図１９】
0003768438.tif 000023
【図２０】
0003768438.tif 000024
【図２１】
0003768438.tif 000025